【事件の表示】
　平成　５年特許願第２７５１８１号「自動利得調整装置」拒絶査定不服審判事件〔平成　７年　５月１９日出願公開、特開平　７−１３００８７〕について、次のとおり審決する。
【結　論】
　本件審判の請求は、成り立たない。
【理　由】
１　経緯
　
特許出願　　　　　　　　　　　　　　平成　５年１１月　４日
拒絶理由通知１　　　　　　　　　　　平成１３年　６月１３日
意見書・手続補正書１　　　　　　　　平成１３年　８月１０日
拒絶査定　　　　　　　　　　　　　　平成１４年　３月　５日
審判請求　　　　　　　　　　　　　　平成１４年　４月１１日
手続補正書２　　　　　　　　　　　　平成１４年　５月１３日
手続補正書（審判請求書）　　　　　　平成１４年　５月１６日
拒絶理由通知２（前置）　　　　　　　平成１４年　７月１５日
意見書・手続補正書３　　　　　　　　平成１４年　９月２０日
前置報告　　　　　　　　　　　　　　平成１４年１０月１６日
　
２　本願発明
　手続補正書３（平成１４年９月２０日付け）で補正された明細書、および図面の記載から見て、特許請求の範囲請求項１，２に係る発明はその請求項１，２に記載されたとおりのものであり、請求項２に係る発明は次のものである。
「【請求項２】　誤差信号によりサーボ制御を行うためのサーボループと、前記誤差信号の利得を調整変更する利得調整手段とを有する自動利得調整装置において、
　前記利得調整手段は、利得調整値を記憶する記憶手段を有し、利得調整動作前には初期値として前記記憶手段に記憶された前回までの前記利得調整値を利用し、前記記憶手段に記憶された前回までの前記利得調整値を利用してもサーボ制御ができない場合は、前記利得調整値を変化させて、その変化させた利得調整値を初期値として利用し、利得調整完了後に当該利得調整において得られた新たな利得調整値を前記記憶手段に記録することを特徴とする自動利得調整装置。（以下、本願発明という。）」
　
３　先願発明および周知例
（１）　先願発明
　拒絶理由通知１（平成１３年６月１３日）で通知され、拒絶の理由に用いられた先願（特願平５−１９７２９５号（特開平７−５７２７６号公報参照））には、次の記載がある。
ａ【特許請求の範囲】に、
「【請求項１】 セットに装填されるディスクを初めて演奏するとき、及び、セットに装填済のディスクを再演奏するときに、ピックアップサーボ系を調整するようにしたディスク演奏装置のピックアップサーボ系の自動調整方法において、
セットに装填されるディスクを初めて演奏するときは、ピックアップサーボ系を自動調整するとともに当該調整係数を記憶しておき、セットに装填済のディスクを再演奏するときは、先に当該ディスクの装填時に記憶した調整係数をピックアップサーボ系に設定する
【請求項２】 セットに装填されるディスクを初めて演奏するとき、及び、セットに装填済のディスクを再演奏するときに、ピックアップサーボ系を調整するようにしたディスク演奏装置のピックアップサーボ系の自動調整方法において、
セットに装填されるディスクを初めて演奏するときは、ピックアップサーボ系を自動調整するとともに温度を測り、当該調整係数と温度を記憶しておき
当該調整係数と今回測った温度を記憶する
　
ｂ【０００３】に、
「【０００３】ディスクから誤りなく記録信号を読み取るためには、ピックアップサーボ系のサーボ特性を最適調整しておく必要があり、従来は、メーカ側が出荷前に基準ディスクを再生しながら半固定抵抗を回して調整していた。けれども、
装置の使用によるサーボ特性の経時変化に対応
　
ｃ　【００２４】〜【００３３】に、
「【００２４】
【実施例】図１は本発明の第１実施例に係るピックアップサーボ系の自動調整方法を具現した車載用ＣＤプレーヤの全体構成図である。１はコンパクトディスク、２はターンテーブル、３はコンパクトディスクを一定の線速度で回転するスピンドルモータ、４はスピンドルモータに対し線速度一定制御を行うスピンドルサーボ回路、５はコンパクトディスクにレーザビームを発射し反射ビームを検出する光ピックアップ、６は光ピックアップをディスク半径方向に送るスレッドモータ、７はスレッドモータに対しトラックを追跡するためのスレッドサーボを掛けるスレッドサーボ回路、８はＲＦアンプあり、図１０に示す如く構成されている。９はＲＦ信号を入力して音楽データとサブコードデータの復調を行うディジタル信号処理回路である。
【００２５】
１０は（Ａ＋Ｃ）信号と（Ｂ＋Ｄ）信号よりフォーカスエラー信号ＦＥを作成し、該フォーカスエラー信号ＦＥに基づき光ピックアップ５に設けたフォーカスアクチュエータ（図示せず）を駆動しフォーカスサーボを掛けるフォーカスサーボ回路
１２はＥ信号とＦ信号よりトラッキングエラー信号ＴＥを作成し、該トラッキングエラー信号ＴＥに基づき光ピックアップ５に設けたトラッキングアクチュエータ（図示せず）を駆動しトラッキングサーボを掛けるトラッキングサーボ回路
【００２６】１４はＲＦ信号の下側エンベロープ検波を行う検波回路、１５は検波回路出力をＡ／Ｄ変換するＡ／Ｄ変換器、
１６Ａは後述するシステムコントローラの指令を受けて、サーボの立ち上げ、ピックアップサーボ系に対する調整係数の設定や自動調整等を行うマイコン構成のサーボコントローラ
【００２７】１７はセットへのコンパクトディスク１の挿入を検知するディスク挿入検知器、１８はシステムコントローラの制御に従いコンパクトディスク１をターンテーブル２の上にローディングしたり、ターンテーブル２の上からアンローディングしたりするローディング部、１９Ａはコンパクトディスク１を演奏するために必要なシステムの全体的な制御を行うシステムコントローラ、
２０ＡはＴＯＣ情報、ピックアップサーボ系の調整係数データ、温度等を記憶するＲＡＭ
【００２８】
システムコントローラ１９Ａはセットに装填されるコンパクトディスク１を初めて演奏するとき、前回の自動調整時の調整係数データをサーボコントローラ１６Ａに出力して前回と同じサーボ特性に設定させたあと自動調整を行わせ、その時点の温度と自動調整後のピックアップサーボ系の調整係数を入力してＲＡＭ２０Ａに記憶させる。
セットに装填済のコンパクトディスク１を再演奏するときも、前回の自動調整時の調整係数データをサーボコントローラ１６Ａに出力し、前回と同じサーボ特性に設定させ
一定範囲外のときのみ改めて自動調整させ、その時点の温度と自動調整後の調整係数をＲＡＭ２０Ａに記憶させる。
【００２９】図２と図４はシステムコントローラ１９Ｂとサーボコントローラ１６Ｂによってなされるサーボの立ち上げを含む自動調整処理の流れ図であり、以下、これらの図を参照して説明する。ディスク挿入検知器１７でコンパクトディスク１の挿入が検知されると、システムコントローラ１９Ａはローディング部１８を制御してコンパクトディスク１をターンテーブル２の上にセットさせる（図２のステップ３０１〜３０３）。このあと、システムコントローラ１９Ａは温度センサ２３から現在の温度ｔを入力し、ＲＡＭ２０ＡにＴとして更新登録したあと（ステップ３０４）、ＲＡＭ２０Ａに前回自動調整したときの調整係数データが登録されているかチェックする（ステップ３０５）。まだ登録されていないときは、サーボコントローラ１６Ａに対し調整係数データを含まないサーボオン・自動調整指令を与える。該指令を受けたサーボコントローラ１６Ａは、以下の（１）〜（１２）の順にピックアップサーボ系に対する自動調整をしながら各種サーボを立ち上げる。なお、以下の（１）〜（１２）の詳細は前述したので略す。
【００３０】
（１）フォーカスオフセット調整（ステップ３０７）
（２）トラッキングオフセット調整（ステップ３０８）
（３）スピンドルモータ起動（ステップ３０９）
（４）フォーカスゲイン粗調整（ステップ３１０）
（５）フォーカスサーボオン（ステップ３１１）
（６）トラッキングゲイン粗調整（ステップ３１２）
（７）トラッキングバランス調整（ステップ３１３）
（８）トラッキングサーボオン（ステップ３１４）
（９）スピンドルサーボとスレッドサーボオン（ステップ３１５、３１６）
（１０）フォーカスバランス調整（ステップ３１７）
（１１）フォーカスゲイン精調整（ステップ３１８）
（１２）トラッキングゲイン精調整（ステップ３１９）
【００３１】自動調整と各種サーボのオンが終わったところで、サーボコントローラ１６Ａは、今回の自動調整によりピツクアップサーボ系に最終的に設定したフォーカスオフセット量、トラッキングオフセット量、可変利得アンプ１０ａ，１０ｂ，１０ｇ、１２ａ，１２ｂ，１２ｇの各ゲイン値Ｇ１０ａ　，Ｇ１０ｂ　，Ｇ１０ｇ　，Ｇ１２ａ　，Ｇ１２ｂ　，Ｇ１２ｇ　から成る調整係数データを含むサーボオン完了通知をシステムコントローラ１９Ａに送出する。調整係数データを含むサーボオン完了通知を受けたシステムコントローラ１９Ａは調整係数データをＲＡＭ２０Ａに更新登録したあと（ステップ３２０）、光ピックアップ５、ＲＦアンプ８、ディジタル信号処理回路９の経路でコンパクトディスク１のリードインに記録されたＴＯＣ情報を読み取らせ、ＲＡＭ２０Ａに格納したのち、ＴＯＣ情報を参照して１曲目の先頭をサーチし、演奏を開始させる（ステップ３２１〜３２３）。
・・・
【００３３】このとき、温度センサ２３から入力した温度ｔをＴとして更新登録したあとなされるステップ３０５の判断ではＹＥＳとなるので、システムコントローラ１９ＡはＲＡＭ２０Ａから読み出した調整係数データを含むサーボオン・自動調整指令をサーボコントローラ１６Ａに与える。該指令を受けたサーボコントローラ１６Ａは、まず、調整係数データの内、フォーカスオフセット量とトラッキングオフセット量を減算器１０ｅと１２ｅに引数として出力し、また、可変利得アンプ１０ａ，１０ｂ，１０ｇ、１２ａ，１２ｂ，１２ｇのゲインを各々Ｇ１０ａ　，Ｇ１０ｂ　，Ｇ１０ｇ　，Ｇ１２ａ　，Ｇ１２ｂ　，Ｇ１２ｇ　に設定する（ステップ３０６）。このあと、ステップ３０７以降の自動調整処理を行う。
このように、自動調整を行う前に前回の調整状態を再現することで、自動調整中にサーボが不安定化するのを防止することができる。この点、前回の調整状態を再現せずに自動調整を行うと、ピックアップサーボ系の経時的な劣化などにより、サーボをオンできなくなる可能性がある
　
ｄ　【００３５】、【００３６】に、
「【００３５】
調整係数データを含むサーボオン・単純調整指令を受けたサーボコントローラ１６Ａは、まず、調整係数データの内、フォーカスオフセット量とトラッキングオフセット量を減算器１０ｅと１２ｅに引数として出力し、また、可変利得アンプ１０ａ，１０ｂ，１０ｇ、１２ａ，１２ｂ，１２ｇのゲインを各々Ｇ
１０ａ
　，Ｇ
１０ｂ
　，Ｇ
１０ｇ
　，Ｇ
１２ａ
　，Ｇ
１２ｂ
　，Ｇ
１２ｇ
　に設定する（ステップ４１０）。そして、自動調整はせずに各種サーボをオンし（ステップ４１１）
【００３６】
若し、ステップ４０９の判断で温度ｔがＴに対し一定範囲を越えていた場合、システムコントローラ１９Ａは温度ｔを新たなＴとしてＲＡＭ２０Ａに更新登録し（ステップ４１４）、ＲＡＭ２０Ａから読み出した調整係数データを含むサーボオン・自動調整指令をサーボコントローラ１６Ａに与える。
再演奏しようとするときの温度が前回自動調整したときの温度に対し一定範囲外であれば、前回自動調整したときの調整係数を設定しただけでは温度依存性の強いピックアップサーボ系を最適状態とできず、改めて自動調整することで、良好なプレーアビリティを確保できる
ｅ　先願には、ピックアップサーボ系の自動調整方法が示されているが、その方法を用いたピックアップサーボ系の自動調整装置も示されていると認められる。
　してみると、先願には次の発明が記載されている。
　「（Ａ＋Ｃ）信号と（Ｂ＋Ｄ）信号よりフォーカスエラー信号ＦＥを作成し、該フォーカスエラー信号ＦＥに基づき光ピックアップ５に設けたフォーカスアクチュエータを駆動しフォーカスサーボを掛けるフォーカスサーボ回路１０ を有し、
　Ｅ信号とＦ信号よりトラッキングエラー信号ＴＥを作成し、該トラッキングエラー信号ＴＥに基づき光ピックアップ５に設けたトラッキングアクチュエータ（図示せず）を駆動しトラッキングサーボを掛けるトラッキングサーボ回路１２を有し、
　システムコントローラの指令を受けて、サーボの立ち上げ、ピックアップサーボ系に対する調整係数の設定や自動調整等を行うマイコン構成のサーボコントローラ１６Ａを有し、
　ＴＯＣ情報、ピックアップサーボ系の調整係数データ、温度等を記憶するＲＡＭ２０Ａを有し、
　セットに装填されるディスクを初めて演奏するときは、ピックアップサーボ系を自動調整するとともに当該調整係数を記憶しておき、セットに装填済のディスクを再演奏するときは、先に当該ディスクの装填時に記憶した調整係数をピックアップサーボ系に設定だけ行うようにし、
　更に、その時点の温度ｔを前回自動調整時の温度Ｔと比較し、一定範囲（例えば、Ｔ±１０°）内であれば自動調整はさせず、一定範囲外のときのみ改めて自動調整させ、その時点の温度と自動調整後の調整係数をＲＡＭ２０Ａに記憶させ、
　再演奏しようとするときの温度が前回自動調整したときの温度に対し一定範囲外であれば、前回自動調整したときの調整係数を設定しただけでは温度依存性の強いピックアップサーボ系を最適状態とできず、その時点の温度ｔを前回自動調整時の温度Ｔと比較し、一定範囲（例えば、Ｔ±１０°）内であれば自動調整はさせず、一定範囲外のときのみ改めて自動調整させ、その時点の温度と自動調整後の調整係数をＲＡＭ２０Ａに記憶させる
ピックアップサーボ系の自動調整装置。（以下、先願発明という。）」
　
（２）　周知例（特開平１−２４１０２６号公報）
　本件出願前公知の刊行物である特開平１−２４１０２６号公報を周知例として示す。周知例には次の記載がある。　
ａ　第２頁左上欄第５行〜第１２行に、サーボゲインを自動調整する機構を有する光学式ディスクプレーヤの従来の技術として、
「また、この種のＣＤプレーヤにおいては、オプティカル・ピックアップの経時変化等によってサーボゲインが変化するのを補正するために、サーボゲインを最適値に調整する自動調整機能が設けられている。すなわち、ＣＤプレーヤに電源が投入されると、サーボ回路のサーボゲインが最適値に調整され、このサーボゲインの自動調整が完了した時点で、音楽等の再生が可能なプレイ状態となる。」、
　
ｂ　第２頁左上欄第１３行〜右上欄第９行に、
「「発明が解決しようとする課題」
　ところで、上述した従来のＣＤプレーヤにおいては、そのサーボゲインが電源投入時に一度だけ自動調整されるものの、それ以降、再調整されることはなかった。したがって、電源投入後、時間が経過し、オプティカル・ピックアップの温度が上昇したとしても、そのサーボゲインは、比較的温度の低い電源投入時のままであり、この結果、サーボゲインが最適値に調整されず、ディスクの信号記録面上に生じているキズや振動によって、再生特性が劣化する等、安定した再生を行うことが出来ないという問題があった。
　この発明は上述した事情に鑑みてなされたもので、オプティカル・ピックアップの温度変化に応じてサーボゲインが自動調整され、常に安定した再生を実現することができる光学式ディスクプレーヤを提供することを目的としている。」
　
４　本願発明と先願発明との対比・判断
（１）　誤差信号とサーボループ、利得調整手段
　先願発明の（Ａ＋Ｃ）信号と（Ｂ＋Ｄ）信号より得たフォーカスエラー信号ＦＥ、及びＥ信号とＦ信号よりトラッキングエラー信号ＴＥは、本願発明の「誤差信号」に相当する。
　先願発明は、これらのエラー信号にも続きサーボ回路１０，１２を有しており、本願発明の「サーボ制御を行うためのサーボループ」に相当する。
　
　先願発明の「サーボの立ち上げ、ピックアップサーボ系に対する調整係数の設定や自動調整」は、先願の【００３０】に記載されている「（４）フォーカスゲイン粗調整（ステップ３１０）、・・・（６）トラッキングゲイン粗調整（ステップ３１２）」から見て、ゲイン、即ち利得を調整しており、本願発明の「誤差信号の利得を調整変更する利得調整手段」に相当し、先願発明の「ピックアップサーボ系の自動調整装置」は、本願発明の「自動利得調整装置」である。
　
（２）　記憶手段、前回値の利用
　先願発明の「ピックアップサーボ系の調整係数データ、温度等を記憶するＲＡＭ２０Ａ」は、本願発明の「利得調整値を記憶する記憶手段」に相当する。
　先願発明の「セットに装填済のディスクを再演奏するときは、先に当該ディスクの装填時に記憶した調整係数をピックアップサーボ系に設定」は、本願発明の「利得調整動作前には初期値として前記記憶手段に記憶された前回までの前記利得調整値を利用」に相当する。
（３）　再調整、再調整値の利用及び記憶（記録）　
　先願発明は、「温度ｔを前回自動調整時の温度Ｔと比較し、一定範囲（例えば、Ｔ±１０°）内であれば自動調整はさせず、一定範囲外のときのみ改めて自動調整」しているが、サーボ制御できないときにしているのではない。しかしながら、「再演奏しようとするときの温度が前回自動調整したときの温度に対し一定範囲外であれば、前回自動調整したときの調整係数を設定しただけでは温度依存性の強いピックアップサーボ系を最適状態とできず、改めて自動調整することで、良好なプレーアビリティを確保」するものであり、最適ではないので改めて自動調整している。
　ところで、周知例は、電源投入後、時間が経過し、オプティカル・ピックアップの温度が上昇したとしても、そのサーボゲインは、比較的温度の低い電源投入時のままであり、この結果、サーボゲインが最適値に調整されず、ディスクの信号記録面上に生じているキズや振動によって、再生特性が劣化する等、安定した再生を行うことが出来ないという問題があったことを示しており、先願発明の「再演奏しようとするときの温度が前回自動調整したときの温度に対し一定範囲外」のときは、本願発明の「前回までの前記利得調整値を利用してもサーボ制御ができない場合」に相当する。
　そして、その際に先願発明は「改めて自動調整させ、その時点の温度と自動調整後の調整係数をＲＡＭ２０Ａに記憶させる」のであり、本願発明の「前記利得調整値を変化させて、その変化させた利得調整値を初期値として利用し、利得調整完了後に当該利得調整において得られた新たな利得調整値を前記記憶手段に記録する」に相当する。
　
（４）　してみると、先願発明は本願発明の構成をことごとく有しており、本願発明は、先願発明と同一である。そして、本件出願人は先願発明の出願人と異なり、本願発明の発明者も先願発明の発明者と異なっているので、本願発明は、特許法第２９条の２の規定により特許を受けることが出来ない。
　
５　まとめ
　本願発明は、特許法第２９条の２の規定により特許を受けることが出来ないものであるから、他の請求項に係る発明を検討するまでもなく、本件出願は拒絶を免れ得ない。
　よって、結論のとおり審決する。